(57)【要約】【課題】  接続される電線の芯線を接続導体に直接押圧して接続させることができ、電線サイズの大小によっても接続性能が左右されない接続装置を得る。【解決手段】  電線の芯線先端部を受け入れる保持筒孔を備えた接続導体と、接続導体の保持筒孔の外壁に沿って端縁から内部方向に装着され芯線導体先端部を保持筒孔に誘導する挿通孔を備えたスライド部とを備え、スライド部は先端部に向かうに従って縮径する内形状を有し、保持筒孔には端縁から内部方向に複数のスリットが形成され、スライド部の保持筒孔の内部方向への装着に伴ってスライド部の内形状に沿って互いに寄り集まる分岐した複数のチャック部を備え、そのチャック部はその厚さが端縁から内部にかけて徐々に厚くなり、可撓性を有するもの。【選択図】      図２
2016225248.tif 000002
【特許請求の範囲】
【請求項１】
電線の芯線先端部を受け入れる保持筒孔を備えた接続導体と、
前記接続導体の保持筒孔の外壁に沿って端縁から内部方向に装着され前記芯線先端部を前記保持筒孔に誘導する挿通孔を備えたスライド部とを備え、
前記スライド部は、先端部に向かうに従って縮径する内形状を有し、
前記保持筒孔には、端縁から内部方向に複数のスリットが形成され、前記スライド部の保持筒孔内部方向への装着に伴って前記スライド部の内形状に沿って互いに寄り集まる分岐した複数のチャック部を備え、
前記チャック部は、その厚さが端縁から内部にかけて徐々に厚くなり、可撓性を有することを特徴とする電線接続装置。
【請求項２】
前記スライド部の接続導体への押圧を補助する金属環を更に備えたことを特徴とする請求項１に記載の電線接続装置。
【請求項３】
前記接続導体とスライド部との連結体の表出部を絶縁する絶縁手段を備えたことを特徴とする請求項１又は２に記載の電線接続装置。
【請求項４】
前記接続導体とスライド部との連結体を防水する防水手段を更に備えたことを特徴とする請求項１〜３の何れか１項に記載の電線接続装置。
【発明の詳細な説明】
【技術分野】
【０００１】
本発明は、例えばはんだ付けや圧着工具が不要な電線接続装置に関するものである。
【背景技術】
【０００２】
各種電線の接続方法としては、はんだ付けや圧着接続等が知られている。これらの電線接続の技術は、作業者のスキルや、接続に使用する工具や、その工具の管理で接続品質が左右される。このため、特殊工程に位置する作業となっており、限られた作業者で施工することとなる。一方、本出願人は、はんだ付けや圧着工具を使用せずに誰が行なっても一定の接続品質を確保可能な接続装置を既に提案している(例えば、特許文献１参照)。
【０００３】
この接続装置は、詳しくは、２つの保持孔を備えた中心導体と絶縁する本体と、２つのキャップおよびケーブルシースを押圧するガスケットとから構成され、 キャップ内で移動可能なテーパー形状のクランプ（締付具）を備え、本体チャックとガスケットとに当接する構造を有する直線接続形状、オス・メス形状で分離可能な構造および２つ以上の心線導体を持つ電源ケーブル用の接続装置である。
【先行技術文献】
【特許文献】
【０００４】
【特許文献１】特開２０１０−２５０９８８号公報
【発明の概要】
【発明が解決しようとする課題】
【０００５】
この接続装置は、中心導体を囲む本体のチャック部をキャップ内のクランプ（締付具）が押圧してケーブル導体を接続する構造であるが、太いケーブル導体に押圧する場合には、チャック部の耐圧性が問題となる場合があった。加えて、接続される電線の多角化に伴って接続導体部とケース(絶縁カバー・防水ケース含む)に分ける必要があった。
【０００６】
この技術は、特殊な専用工具等を使用せずに誰が行なっても一定の接続品質を確保可能で、上記の先行技術でも実績があり、同軸ケーブル用コネクタや限られた電源ケーブル用の接続装置であるが、市場にある多くの電線に対応することが難しい。
【０００７】
そこで、本発明は、熟練者でなくともはんだ付けや圧着工具（圧縮工具含む）を使用しないで電線を一定の品質で接続することができることは元より、接続される電線の芯線を接続導体に直接押圧して接続させることができ、電線サイズの大小によっても接続性能が左右されない接続装置を得ることを目的とする。また、接続される電線の多角化に順応することが可能な接続装置を得ることを別の目的とする。
【課題を解決するための手段】
【０００８】
請求項１に記載された発明に係る電線接続装置では、電線の芯線先端部を受け入れる保持筒孔を備えた接続導体と、
前記接続導体の保持筒孔の外壁に沿って端縁から内部方向に装着され前記芯線導体先端部を前記保持筒孔に誘導する挿通孔を備えたスライド部とを備え、
前記スライド部は、先端部に向かうに従って縮径する内形状を有し、
前記保持筒孔には、端縁から内部方向に複数のスリットが形成され、前記スライド部の保持筒孔の内部方向への装着に伴って前記スライド部の内形状に沿って互いに寄り集まる分岐した複数のチャック部を備え、
前記チャック部は、その厚さが端縁から内部にかけて徐々に厚くなり、可撓性を有することを特徴とするものである。
【０００９】
請求項２に記載された発明に係る電線接続装置では、請求項１に記載のスライド部の接続導体への押圧を補助する金属環を更に備えたことを特徴とするものである。
【００１０】
請求項３に記載された発明に係る電線接続装置では、請求項１又は２に記載の接続導体とスライド部との連結体の表出部を絶縁する絶縁手段を備えたことを特徴とするものである。
【００１１】
請求項４に記載された発明に係る電線接続装置では、請求項１〜３の何れか１項に記載の接続導体とスライド部との連結体を防水する防水手段を更に備えたことを特徴とするものである。
【発明の効果】
【００１２】
本発明は、熟練者でなくともはんだ付けや圧着工具（圧縮工具含む）を使用しないで電線を同じ条件で接続することができることは元より、接続される電線の芯線を接続導体に直接押圧して接続させることができ、電線の構造やサイズの大小によっても接続性能が左右されない接続装置を得ることができるという効果がある。また、接続される電線の多角化に順応することができ、例えば、接続導体部と、絶縁カバー・防水ケースとに分けることが可能な接続装置を得ることができるという効果がある。これにより、はんだ付けや圧着工具等を使用することなく簡単な作業方法で屋内、屋外、目的に合った電線を接続することが可能で、一般的な細い電線から電力用の太い電線まで、高品質な接続性能が得られる。低圧用電線の全てに使用することは元より、太陽電池発電設備用の直流１５００Ｖケーブルでも使用できる性能が得られる。
【図面の簡単な説明】
【００１３】
【図１】本発明の電線接続装置の一実施例の直線接続装置の構成を示す説明図であり、ａ図は左側面図であり、ｂ図は上半分を切欠いた正面図である。
【図２】本発明の電線接続装置の別の実施例の直線接続装置の構成を示す説明図であり、ａ図は左側面図であり、ｂ図は上半分を切欠いた正面図である。
【図３】図２の直線接続装置を封止する防水カバーの構成を示す説明図であり、ａ図は開放状態の正面図であり、ｂ図はａ図の右側面図である。
【図４】本発明の電線接続装置の更に別の実施例の終端接続装置の構成を示す説明図であり、ａ図は上半分を切欠いた正面図であり、ｂ図は右側面図である。
【図５】本発明の電線接続装置の更に別の実施例の終端接続装置の構成を示す説明図であり、ａ図は上半分を切欠いた正面図であり、ｂ図は右側面図である。
【図６】本発明の電線接続装置の更に別の実施例のオス型及びメス型コネクタ接続装置の構成を示す説明図であり、ａ図は上半分を切欠いたオス型コネクタ接続装置正面図であり、ｂ図は上半分を切欠いたメス型コネクタ接続装置正面図である。
【図７】本発明の電線接続装置の更に別の実施例の分岐接続装置の構成を示す説明図であり、ａ図は左側面図であり、ｂ図は上半分を切欠いた正面図である。
【図８】図７の分岐接続装置を封止する防水カバーの構成を示す正面図である。
【発明を実施するための形態】
【００１４】
本発明においては、電線の芯線先端部を受け入れる保持筒孔を備えた接続導体と、前記接続導体の保持筒孔の外壁に沿って端縁から内部方向に装着され前記芯線導体先端部を前記保持筒孔に誘導する挿通孔を備えたスライド部とを備え、
前記スライド部は、先端部に向かうに従って縮径する内形状を有し、
前記保持筒孔には、端縁から内部方向に複数のスリットが形成され、前記スライド部の保持筒孔の内部方向への装着に伴って前記スライド部の内形状に沿って互いに寄り集まる分岐した複数のチャック部を備え、
前記チャック部は、その厚さが端縁から内部にかけて徐々に厚くなり、可撓性を有するものである。
【００１５】
これにより、スライド部を保持筒孔の外壁に沿って端縁から内部方向にスライドさせることにより、チャック部が均等に芯線先端部を押圧するため、はんだ付けや圧着工具（圧縮工具含む）を使用しないで電線を接続することができることは元より、熟練者でなくとも電線の芯線を同じ条件で接続することができ、芯線に直接押圧する構造をとることができる接続装置を得ることができる。
【００１６】
本発明の接続導体としては、電線の芯線先端部を受け入れる保持筒孔を備えたものであればよく、また、スライド部としては、芯線先端部を前記保持筒孔に誘導する挿通孔を備え、尚且つ、保持筒孔の外壁に沿って端縁から内部方向に装着されるものであればよい。これら接続導体とスライド部とは、電線接続装置に少なくとも１組以上備えればよい。例えば閉端接続導体や終端接続導体では１組備えればよく、直線接続導体では２組備えればよく、分岐接続導体では３組以上備えればよい。
【００１７】
更に、本発明のスライド部は、先端部に向かうに従って縮径する内形状を有し、この内形状によって、保持筒孔に形成された複数のチャック部がスライド部の内形状に沿って全チャック部の端縁から互いに寄り集まることにより、全チャック部が均等に芯線を押圧して電線の芯線を均等にしかも確実に保持することとなり、熟練者でなくとも電線の芯線を一定の品質で接続することができる。
【００１８】
加えて、各チャック部は、その厚さが端縁から内側にかけて徐々に厚くなり、可撓性を有するために、スライド部材の保持筒孔の外壁に沿って端縁から内部方向へのスライドに応じて全チャック部の端縁が互いに中心部に存在する芯線を徐々に押圧するため、熟練者でなくとも電線の芯線を一定の品質でしっかりと接続することができる。
【００１９】
尚、チャック部の可撓性能については、チャック部に使用する金属材料とスリット形状およびスライド部の押圧形状等により変えることができる。スライド部が保持筒孔の外壁に沿って内側から端縁方向にスライドして芯線への押圧力を解除した場合に元の状態に戻っても又は戻らなくても確実な接続を得ることに対しては何ら支承はない。元の状態に戻るフレキシブルな可撓性を有するものは何回も接続することが可能という利点が得られる。また、元に戻らない変形状態を維持するものでは、電線の芯線と一体化に近い状態で接続され大電流にも耐えることができる。切り離す場合は、接続装置自体を電線から切断して新たな接続装置によってより確実な接続をすることで事故を未然に防ぐことができる。再度接続しても熟練を要さずに同じ接続状態を得ることができると言う利点が得られる。
【００２０】
本発明の電線接続装置の好ましい例としては、スライド部の接続導体への押圧を補助する金属環を更に備えることでチャック部の捻れを防止し高い接続品質が得られることを特徴とするものである。即ち、簡便な電線接続装置としては、保持筒孔の外壁に沿って端縁から内部方向に装着されるスライド部としては、先端部に向かうに従って縮径する内形状を有するナットを保持筒孔に装着させるものが挙げられる。この場合、保持筒孔の外壁に形成された螺刻とこれに螺合するナットの緊締によって、保持筒孔の外壁に沿って端縁から内部方向に装着されるものが挙げられる。ナットの内形状によってチャック部は回転方向の力を受け、捻れが生じることがある。スライド部の接続導体への押圧を補助する金属環によって、チャック部の捻れを防止することが可能となる。
【００２１】
具体的には、スライド部をナットのように捩りながら移動させてスライド部の接続導体への押圧する場合に、先端部に向かうに従って縮径する内形状として、ナットの内部に金属環を装着したものでは、ナットが回動することで金属環がチャック部に回転方向の力が伝わらないようにすることが可能となる。
【００２２】
他の好ましい例としては、接続導体の保持筒孔を覆うように配されるスライド部を押圧する絶縁性を持つキャップ状の押圧部材を更に備え、この押圧部材によってスライド部を接続導体方向へ押圧するようにすることにより、電線接続装置の絶縁性を確実としたり、押圧部材自体に防水性を高めることが可能となる。
【００２３】
本発明の電線接続装置は、絶縁性を装置本体に付与するか、別体とするかを選択することにより、接続される電線の多角化に順応することができる。具体的には、接続導体とスライド部との連結体の表出部を絶縁する絶縁手段を備える。この絶縁手段としては、一つの好ましい例としては、接続導体の表出部に絶縁層を形成し、スライド部の表出部に絶縁層を形成することにより、達成される。具体的な絶縁層としては樹脂層やセラミック層等が挙げられる。
【００２４】
別の好ましい例としては、接続導体の表出部に絶縁層を形成し、スライド部を接続導体方向へ押圧する絶縁性樹脂が表出した押圧部材を更に備えてもよい。更に別の好ましい例としては、接続導体とスライド部とからなる電線接続装置自体を別体とした絶縁性のカバーで覆うように構成する。具体的な絶縁性のカバーとしては、樹脂製カバー、セラミック製カバー等が挙げられる。尚、絶縁層及び絶縁性のカバーとしては、この絶縁性を更に向上させて防水性を向上させて防水層及び防水性のカバーとしてもよい。
【００２５】
本発明の電線接続装置は、防水性を装置本体に付与するか、別体とするかを選択することにより、接続される電線の多角化に順応することができる。具体的には、接続導体とスライド部との連結体を防水する防水手段を更に備える。この防水手段としては、一つの好ましい例としては、接続導体の表出部に防水層を形成し、スライド部の表出部に防水層を形成し、これら接続導体とスライド部との係合部分に防水処理を施すことにより、達成される。具体的な防水層としては樹脂層やセラミック層等が挙げられる。
【００２６】
別の好ましい例としては、接続導体の表出部に防水層を形成し、スライド部を接続導体方向へ押圧する防水性樹脂が表出した押圧部材を更に備えてもよい。更に別の好ましい例としては、接続導体とスライド部とからなる電線接続装置自体を別体とした防水性のカバーで覆うように構成する。具体的な防水性のカバーとしては、樹脂製カバー、セラミック製カバー等が挙げられる。
【００２７】
即ち、本発明の好ましい例の電線接続装置は、電線の芯線先端部を受け入れる保持筒孔を備えた接続導体と、前記接続導体の保持筒孔の外壁に沿って端縁から内部方向に装着され前記芯線導体先端部を前記保持筒孔に誘導する挿通孔を備えたスライド部と、前記接続導体とスライド部との連結体を覆う絶縁カバー又は防水カバーとを備え、
前記スライド部は、先端部に向かうに従って縮径する内形状を有し、
前記保持筒孔には、端縁から内部方向に複数のスリットが形成され、前記スライド部の保持筒孔内部方向への装着に伴って前記スライド部の内形状に沿って互いに寄り集まる分岐した複数のチャック部を備え、
前記チャック部は、その厚さが端縁から内側にかけて徐々に厚くなり、可撓性を有し、
前記絶縁カバー又は防水カバーには、前記スライド部の挿通孔に芯線導体先端部を誘導する誘導孔を備えたことを特徴とするものである。
【００２８】
以上のように、接続導体を囲む本体のチャック部をキャップ内のスライド部の内形状が押圧しケーブル導体を接続する構造ではなく、接続導体に電線の芯線を直接押圧する構造としたために、電線の構造やサイズの大小に関係なく、しっかりと芯線と接続導体とが接続することができる。
【００２９】
また、接続導体と電線の芯線とが直接接続される構造とすることができるため、目的に応じて、接続導体とスライド部との本体部と、これに別体の絶縁・防水ケースとに分けた構造とすることができる。例えば、市販の絶縁材(絶縁テープ・接続箱等)を使用して接続する場合は接続装置のみの構成、屋外等で防水性が必要な場合は接続装置とケース(絶縁カバー・防水ケース等含む)とのセットの構成とすることが可能となる。
【実施例１】
【００３０】
図１は本発明の電線接続装置の一実施例の直線接続装置の構成を示す説明図であり、ａ図は左側面図であり、ｂ図は上半分を切欠いた正面図であり、片側に電線を固定した状態を示す。図に示す通り、本実施例の接続装置１０は、硬質プラスチック製の絶縁層が表出された本体部１１ａと、硬質プラスチック製の絶縁層が表出された押圧部材としてのキャップ部１４とを備える。
【００３１】
本体部１１ａの両端部には、キャップ部１４の内側に螺合するネジ山が各々螺刻されており、キャップ部１４と本体部１１ａとを回動させて螺合による出入りが行われる。各々のキャップ部１４には、電線１８を本体部１１ａに誘導する挿通孔１３ｂが形成されている。接続導体１１は、本体部１１ａの軸心位置に配設され、その両端部には保持筒孔１２が各々配設される。保持筒孔１２は、端縁から各々内部方向に複数のスリット１２ａを各々備える。
【００３２】
複数のスリット１２ａで先端部が分断された保持筒孔１２は、その厚さが内側から端縁にかけて徐々に薄くなる複数のチャック部１２ｂとなっている。接続導体１１は銅を主成分とした金属製であり、厚さが内側から端縁にかけて徐々に薄いチャック部１２ｂは、例えば内部方向への圧力が掛かった場合には、内側へ変形する可撓性を有し、本実施例では圧力が解除された場合には元の状態に戻らないものとなっている。
【００３３】
接続導体１１の保持筒孔１２と本体部１１ａとの間には、間隙１４ａが形成され、螺合によるキャップ部１４の本体部１１ａ方向への移動に伴ってスライド部１３が端縁から内部方向へ押圧される。詳しくは、キャップ部１４の電線１８を誘導する挿通孔１３ｂには、外方から順に電線１８のシース層を押圧するガスケット部材１５ａと、挿通孔１３ｂ内を摺動可能な摺動断面がＬ字状の摺動部材１５ｂと、この摺動部材１５ｂの移動をスライド部１３の外方断面に伝達する連絡板１５ｃと、スライド部１３とを備える。
【００３４】
スライド部１３は筒状の硬質の樹脂製で形成されているが、内形状が外方向に向かうに従って縮径する金属環１３ａが装着されている。尚、スライド部１３には内方向に突設可能なツメ部を備え、このツメ部を仮止め手段として内側に装着された電線１８のシース層に突設させて、締付直前の電線とスライド部とを仮止めしてもよい。図１のｂ図の向かって右側の通り、キャップ部１４と本体部１１ａとが緊締された場合には、本体部１１ａとキャップ部１４との距離が縮まり、挿通孔１３ｂ内に配されたスライド部１３と、連絡板端面１５ｃと、摺動部材１５ｂと、ガスケット部材１５ａと、キャップ部１４とが互いに連なり、互いを押圧する。スライド部１３の内方向部分は、間隙１４ａに侵入する。
【００３５】
スライド部１３の金属環１３ａの縮径する内形状が保持筒孔１２の全てのチャック部１２ｂの外壁に当接し、チャック部１２ｂのその厚さが端縁から内部方向にかけて徐々に厚くなるために、キャップ部１４と本体部１１ａとの緊締により、徐々にチャック部１２ｂが互いに寄り集まり、保持筒孔１２の径が縮径されて内部の電線１８の芯線１８ａをしっかりと保持する。また、本実施例ではガスケット部材１５ａも緊締により厚さが厚くなり、電線１８のシース層を押圧して挿通孔１３ｂからの水の浸入を防止する。
【００３６】
本体部１１ａ及びキャップ部１４の互いのネジ山部分からの浸水については、本体部１１ａとキャップ部１４との間に配設されたＯリング１６によって、水の浸入を防止する。
【００３７】
尚、本体部１１ａ及びキャップ部１４には、電線１８のクランプ時に本体部１１ａとキャップ部１４のネジを締付ける際に、トルク管理(締付量で電線の圧縮量が変化する)をしなくてもよいようにキャップ部１４の側面に確認窓１７ａが貫通され、所定の締付量に達した位置で本体部１１ａの嵌め合わせ片１７ｂが確認窓１７ａ内に突出するように調整されている。尚、所定の締付量に達した位置で嵌め合わせ片１７ｂが突出するようにしたが、本体部１１ａの側壁の位置に切溝や色分けされたマーカーを設置してもよい。
【実施例２】
【００３８】
図２は本発明の電線接続装置の別の実施例の直線接続装置の構成を示す説明図であり、ａ図は左側面図であり、ｂ図は上半分を切欠いた正面図であり、片側に電線を固定した状態を示す。図３は図２の直線接続装置を封止する防水カバーの構成を示す説明図であり、ａ図は開放状態の正面図であり、ｂ図はａ図の右側面図である。
【００３９】
本実施例の電線接続装置は図２の電線接続装置を図３の防水カバーで封止する構成である。即ち、本実施例の電線接続装置２０は、両端部に電線２８の芯線２８ａを固定する接続導体２１と、その接続導体２１の両端に装着される六角ナット状の外観を有するスライド部２３とを備える。スライド部２３には電線２８の芯線２８ａの先端部を誘導する挿通孔２３ｂが形成されている。
【００４０】
接続導体２１は、その両端部に保持筒孔２２が各々配設される。保持筒孔２２は、端縁から各々内部方向に複数のスリット２２ａを各々備える。複数のスリット２２ａで先端部が分断された保持筒孔２２は、その厚さが内部方向から端縁にかけて徐々に薄くなる複数のチャック部２２ｂとなっている。接続導体２１は銅を主成分とした金属製であり、厚さが内部方向から端縁にかけて徐々に薄いチャック部２２ｂは、例えば内部方向への圧力が掛かった場合には、内側へ変形する可撓性を有する。
【００４１】
保持筒孔２２の根本側とスライド部２３の内側とにはネジ山が各々螺刻されており、接続導体２１とスライド部２３とを回動させて螺合による出入りが行われる。スライド部２３は接続導体２１に装着される側には前述のネジ山が螺刻されており、その反対側には、内形状が外方向に向かうに従って縮径する金属環２３ａが装着されている。
【００４２】
図２のｂ図の向かって右側の通り、接続導体２１とスライド部２３とが緊締された場合には、スライド部２３の金属環２３ａの縮径する内形状が保持筒孔２２のチャック部２２ｂの外壁に当接し、チャック部２２ｂのその厚さが端縁から内部方向にかけて徐々に厚くなるために、接続導体２１とスライド部２３との緊締により、徐々に全チャック部２２ｂが互いに寄り集まり、保持筒孔２２が縮径されて内部の電線２８の芯線２８ａをしっかりと保持する。金属環２３ａはスライド部２３に装着されているが、スライド部２３の緊締が進むと、金属環２３ａはスライド部２３の内側で摺動回動させることにより、チャック部２２ｂに回動力が伝わらず、個々のチャック部２２ｂが撚れない利点を奏する。
【００４３】
図２の電線接続装置２０は、電線２８を両端部で接続した後に、図３の防水カバー３０内に保持される。防水カバー３０は硬質プラスチック製の上カバー３１ｂと、同じく硬質プラスチック製の下カバー３１ａとが側方のヒンジ３２で開閉可能となっている。ヒンジ３２の対向位置には上下カバー３１ａｂの閉塞状態を保持する掛止具３３が並設されて設置されている。
【００４４】
下カバー３１ａには、電線接続装置２０を内部で固定するために、接続導体２１とスライド部２３との間のくびれ部分又は電線を保持する２組の逆Ｕ字状の留め具３５が着脱可能に設置されている。また、上下カバー３１ａｂ同士の係合部には、閉塞状態時に水の侵入を防止するために、ゴム製パッキン３４が係合部の全周に亘って配設されている。
【００４５】
電線２８同士を対向して保持させた状態でカバー３０内に保持できるように、カバー３０両端部に電線２８を誘導する連通孔３７を備え、その内側には、電線２８のシース層に当接する半筒状のゴム製パッキン３６同士が連通孔３７に沿って配設されている。ヒンジ３２で閉鎖された連通孔３７の外壁部には、多数の立設片３８が連通孔３７を取り巻くように配されている。この連通孔３７については、別体のナット部３９で確実に係合される。ナット部３９は連通孔３７に連通する誘導孔が形成され、図示していないが、その孔は先端部に向かって縮径している。ナット部３８の後端部にはネジ山が形成され、連通孔３７の外壁部の立設片３８の後端側のネジ山と螺合する。ナット部３８を連通孔３７の外壁部に装着して緊締すると、縮径している誘導孔によって連通孔３７を取り巻く立設片３８が先端方向から均等に倒される。これにより、連通孔３７の内側のパッキン３６を電線のシースに当接させて、防水効果を確実とする。
【実施例３】
【００４６】
図４は本発明の電線接続装置の更に別の実施例の終端接続装置の構成を示す説明図であり、ａ図は上半分を切欠いた正面図であり、ｂ図は右側面図である。図５は本発明の電線接続装置の更に別の実施例の終端接続装置の構成を示す説明図であり、ａ図は上半分を切欠いた正面図であり、ｂ図は右側面図である。
【００４７】
本実施例の電線接続装置は図４及び図５共に終端接続装置であり、電線をリング端子に接続するものである。即ち、図４の終端接続装置４０は、一端に接続用リング部４４を備え他端に保持筒孔４２を備えた接続導体４１と、その接続導体４１に装着される六角ナット状の外観を有するスライド部４３とを備える。スライド部４３には電線の芯線の先端部を誘導する挿通孔４３ｂが形成されている。
【００４８】
保持筒孔４２は、端縁から各々内部方向に均等に複数のスリット４２ａを各々備える。複数のスリット４２ａで先端部が分断された保持筒孔４２は、その厚さが内側から端縁にかけて徐々に薄くなる複数のチャック部４２ｂとなっている。接続導体４１は銅を主成分とした金属製であり、厚さが内側から端縁にかけて徐々に薄いチャック部４２ｂは、例えば内部方向への圧力が掛かった場合には、内側へ変形する可撓性を有し、本実施例では圧力が解除された場合には元の状態に戻らないものとなっている。
【００４９】
保持筒孔４２の根本側とスライド部４３の内側とにはネジ山が各々螺刻されており、接続導体４１とスライド部４３とを回動させて螺合による出入りが行われる。スライド部４３は接続導体４１に装着される側には前述のネジ山が螺刻されており、その反対側には、内形状が外方向に向かうに従って縮径する縮径部４３ａが装着されている。
【００５０】
接続導体４１とスライド部４３とが緊締された場合には、スライド部４３の縮径部４３ａの縮径する内形状が保持筒孔４２のチャック部４２ｂの外壁に当接し、チャック部４２ｂのその厚さが端縁から内側にかけて徐々に厚くなるために、接続導体４１とスライド部４３との緊締により、徐々に全チャック部４２ｂが互いに寄り集まり、保持筒孔４２が縮径されて内部の電線の芯線をしっかりと保持する。
【００５１】
一方、図５の終端接続装置５０は、スライド部５３が螺合によって移動するのではなく、スライド部５３を保持筒孔５２を覆うように摺動させることにより、全チャック部５２ｂが互いに寄り集まって固定されるものであり、他の構成は図４と同様に、保持筒孔５２には、複数のスリット５２ａと、その厚さが内部方向から端縁かけて徐々に薄くなるチャック部５２ｂとを備え、スライド部５３の内形状が外方向に向かうに従って縮径する縮径部５３ａが装着され、挿通孔５３ｂから誘導した電線の芯線を保持筒孔５２内に配置して、スライド部５３を摺動して固定する。
【実施例４】
【００５２】
図６は本発明の電線接続装置の更に別の実施例のオス型及びメス型コネクタ接続装置の構成を示す説明図であり、ａ図は上半分を切欠いたオス型コネクタ接続装置正面図であり、ｂ図は上半分を切欠いたメス型コネクタ接続装置正面図である。即ち、図６のオス型及びメス型コネクタ接続装置は、先端部同士が螺合連結するオス連結部を備えたオス型コネクタ接続装置６０ａと、メス連結部を備えたメス型コネクタ接続装置６０ｂとからなる。
【００５３】
オス型コネクタ接続装置６０ａは、一端にオス連結部６４を備え他端に保持筒孔６２を備えた接続導体６１と、その接続導体６１に装着される六角ナット状の外観を有するスライド部６３とを備える。スライド部６３には電線の芯線の先端部を誘導する挿通孔６３ｂが形成されている。保持筒孔６２には、複数のスリット６２ａと、その厚さが内部方向から端縁にかけて徐々に薄くなる複数のチャック部６２ｂとを備える。
【００５４】
保持筒孔６２の根本側とスライド部６３の内側とにはネジ山が各々螺刻されており、接続導体６１とスライド部６３とを回動させて螺合による出入りが行われる。スライド部６３は接続導体６１に装着される側には前述のネジ山が螺刻されており、その反対側には、内形状が外方向に向かうに従って縮径する縮径部６３ａが形成されている。接続導体６１とスライド部６３との緊締により、徐々に全チャック部６２ｂが互いに寄り集まり、内部の電線の芯線をしっかりと保持する。
【００５５】
メス型コネクタ接続装置６０ｂも、一端にメス連結部６８を備え他端に保持筒孔６６を備えた接続導体６５と、その接続導体６５に装着される六角ナット状の外観を有するスライド部６７とを備える。スライド部６７には電線の芯線の先端部を誘導する挿通孔６７ｂが形成されている。保持筒孔６６には、複数のスリット６６ａと、その厚さが内部方向から端縁かけて徐々に薄くなる複数のチャック部６６ｂとを備える。
【００５６】
保持筒孔６６の根本側とスライド部６７の内側とにはネジ山が各々螺刻されており、接続導体６５とスライド部６７とを回動させて螺合による出入りが行われる。スライド部６７は接続導体６５に装着される側には前述のネジ山が螺刻されており、その反対側には、内形状が外方向に向かうに従って縮径する縮径部６７ａが形成されている。接続導体６５とスライド部６７との緊締により、徐々に全チャック部６６ｂが互いに寄り集まり、保持筒孔６６が縮径されて内部の電線の芯線をしっかりと保持する。
【００５７】
オス型コネクタ接続装置６０ａとメス型コネクタ接続装置６０ｂとの各々に電線を接続した後に、オス連結部６４とメス連結部６８との先端部同士を螺合連結する。
【実施例５】
【００５８】
図７は本発明の電線接続装置の更に別の実施例の分岐接続装置の構成を示す説明図であり、ａ図は左側面図であり、ｂ図は上半分を切欠いた正面図であり、１本の電線を固定した状態を示す。図８は図７の分岐接続装置を封止する防水カバーの構成を示す正面図である。即ち、図７の分岐接続装置７０は、一つの電源から２つの電線へ電力を分配するための接続装置であり、この分岐接続装置７０を図８の防水カバー８０で封止する構成である。
【００５９】
本実施例の分岐接続装置７０は、一端部からの電線の芯線による給電を他端部の２つの電線７８の芯線７８ｂに分配する接続導体７１と、その接続導体７１の両端の３つの保持筒孔７２に装着される六角ナット状の外観を有するスライド部７３とを備える。スライド部７３には電線７８の芯線７８ｂの先端部を誘導する挿通孔７３ｂが形成されている。
【００６０】
３つの保持筒孔７２は、端縁から各々内部方向に均等に複数のスリット７２ａを各々備える。複数のスリット７２ａで先端部が分断された保持筒孔７２は、その厚さが内側から端縁かけて徐々に薄くなる複数のチャック部７２ｂとなっている。接続導体７１は銅を主成分とした金属製であり、厚さが内側から端縁かけて徐々に薄いチャック部７２ｂは、例えば内部方向への圧力が掛かった場合には、内側へ変形する可撓性を有する。
【００６１】
保持筒孔７２の根本側とスライド部７３の内側とにはネジ山が各々螺刻されており、接続導体７１とスライド部７３とを回動させて螺合による出入りが行われる。スライド部７３は接続導体７１に装着される側には前述のネジ山が螺刻されており、その反対側には、内形状が外方向に向かうに従って縮径する金属環７３ａが装着されている。接続導体７１とスライド部７３との緊締により、金属環７３ａによって徐々に全チャック部７２ｂが互いに寄り集まり内部の電線７８の芯線７８ｂをしっかりと保持する。
【００６２】
分岐接続装置７０は、３つの保持筒孔７２の各々に電線７８を固定した後に、図８の防水カバー８０内に保持される。防水カバー８０は硬質プラスチック製の上下に分割可能なカバー本体８１内に配置される。上下カバーの固定には、３本の電線が誘導されるカバーキャップ８３のカバー本体８１への取付けで行われる。従って、３本の電線７８の各々には分岐接続装置７０への接続固定の際に、カバーキャップ部８３の挿通孔８４を通した状態で接続固定される。
【００６３】
上下カバー本体８１同士の係合部には、閉塞状態時に水の侵入を防止するために、ゴム製パッキン（図示せず）が係合部の全周に亘って配設されており、カバーキャップ８３が装着される挿通孔部分についても、電線７８のシース層に当接する半筒状のゴム製パッキン（図示せず）が挿通孔に沿って配設されている。
【符号の説明】
【００６４】
１０  、２０  …直線接続装置、
４０  、５０  …終端接続装置、
６０ａ…オス型コネクタ接続装置、
６０ｂ…メス型コネクタ接続装置、
７０  …分岐接続装置、
１１  、２１  、４１  、５１  、６１  、７１  …接続導体、
１２  、２２  、４２  、５２  、６２  、７２  …保持筒孔、
１２ａ、２２ａ、４２ａ、５２ａ、６２ａ、７２ａ…スリット、
１２ｂ、２２ｂ、４２ｂ、５２ｂ、６２ｂ、７２ｂ…チャック部、
１３  、２３  、４３  、５３  、６３  、７３  …スライド部、
１３ａ、２３ａ、                        ７３ａ…金属環、
４３ａ、５３ａ、６３ａ        …縮径部、
１３ｂ、２３ｂ、４３ｂ、５３ｂ、６３ｂ、７３ｂ…挿通孔、
６５          …接続導体、
６６          …保持筒孔、
６６ａ        …スリット、
６６ｂ        …チャック部、
６７          …スライド部、
６７ａ        …縮径部、
【図１】
2016225248.tif 000003
【図２】
2016225248.tif 000004
【図３】
2016225248.tif 000005
【図４】
2016225248.tif 000006
【図５】
2016225248.tif 000007
【図６】
2016225248.tif 000008
【図７】
2016225248.tif 000009
【図８】
2016225248.tif 000010
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
電線の芯線端部を受け入れる保持筒孔を備えた接続導体と、
前記接続導体の保持筒孔の外壁に沿って端縁から内部方向に装着され前記芯線端部を前記保持筒孔に誘導する挿通孔を備えたスライド部とを備え、
前記スライド部は、外方向に向かうに従って縮径する内形状を有し、
前記保持筒孔には、端縁から内部方向に複数のスリットが形成され、前記スライド部の保持筒孔内部方向への装着に伴って前記スライド部の内形状に沿って互いに寄り集まる分岐した複数のチャック部を備え、
前記チャック部は、その厚さが内側から端縁にかけて徐々に薄くなっている金属製であり、可撓性を有することを特徴とする電線接続装置。
【請求項２】
前記スライド部の接続導体への押圧を補助する金属環を更に備え、
前記金属環が前記スライド部の内側で摺動回動するものであることを特徴とする請求項１に記載の電線接続装置。
【請求項３】
前記接続導体とスライド部との連結体の表出部を絶縁する絶縁手段を備えたことを特徴とする請求項１又は２に記載の電線接続装置。
【請求項４】
前記接続導体とスライド部との連結体を防水する防水手段を更に備えたことを特徴とする請求項１〜３の何れか１項に記載の電線接続装置。
【手続補正２】
【補正対象書類名】明細書
【補正対象項目名】０００８
【補正方法】変更
【補正の内容】
【０００８】
請求項１に記載された発明に係る電線接続装置では、電線の芯線端部を受け入れる保持筒孔を備えた接続導体と、
前記接続導体の保持筒孔の外壁に沿って端縁から内部方向に装着され前記芯線端部を前記保持筒孔に誘導する挿通孔を備えたスライド部とを備え、
前記スライド部は、外方向に向かうに従って縮径する内形状を有し、
前記保持筒孔には、端縁から内部方向に複数のスリットが形成され、前記スライド部の保持筒孔内部方向への装着に伴って前記スライド部の内形状に沿って互いに寄り集まる分岐した複数のチャック部を備え、
前記チャック部は、その厚さが内側から端縁にかけて徐々に薄くなっている金属製であり、可撓性を有することを特徴とするものである。
【手続補正３】
【補正対象書類名】明細書
【補正対象項目名】０００９
【補正方法】変更
【補正の内容】
【０００９】
請求項２に記載された発明に係る電線接続装置では、請求項１に記載のスライド部の接続導体への押圧を補助する金属環を更に備え、
前記金属環が前記スライド部の内側で摺動回動するものであることを特徴とするものである。
【手続補正４】
【補正対象書類名】明細書
【補正対象項目名】００１４
【補正方法】変更
【補正の内容】
【００１４】
本発明においては、電線の芯線端部を受け入れる保持筒孔を備えた接続導体と、
前記接続導体の保持筒孔の外壁に沿って端縁から内部方向に装着され前記芯線端部を前記保持筒孔に誘導する挿通孔を備えたスライド部とを備え、
前記スライド部は、外方向に向かうに従って縮径する内形状を有し、
前記保持筒孔には、端縁から内部方向に複数のスリットが形成され、前記スライド部の保持筒孔内部方向への装着に伴って前記スライド部の内形状に沿って互いに寄り集まる分岐した複数のチャック部を備え、
前記チャック部は、その厚さが内側から端縁にかけて徐々に薄くなっている金属製であり、可撓性を有するものである。
【手続補正５】
【補正対象書類名】明細書
【補正対象項目名】００１５
【補正方法】変更
【補正の内容】
【００１５】
これにより、スライド部を保持筒孔の外壁に沿って端縁から内部方向にスライドさせることにより、チャック部が均等に芯線端部を押圧するため、はんだ付けや圧着工具（圧縮工具含む）を使用しないで電線を接続することができることは元より、熟練者でなくとも電線の芯線を同じ条件で接続することができ、芯線に直接押圧する構造をとることができる接続装置を得ることができる。
【手続補正６】
【補正対象書類名】明細書
【補正対象項目名】００１６
【補正方法】変更
【補正の内容】
【００１６】
本発明の接続導体としては、電線の芯線端部を受け入れる保持筒孔を備えたものであればよく、また、スライド部としては、芯線端部を前記保持筒孔に誘導する挿通孔を備え、尚且つ、保持筒孔の外壁に沿って端縁から内部方向に装着されるものであればよい。これら接続導体とスライド部とは、電線接続装置に少なくとも１組以上備えればよい。例えば閉端接続導体や終端接続導体では１組備えればよく、直線接続導体では２組備えればよく、分岐接続導体では３組以上備えればよい。
【手続補正７】
【補正対象書類名】明細書
【補正対象項目名】００１７
【補正方法】変更
【補正の内容】
【００１７】
更に、本発明のスライド部は、外方向に向かうに従って縮径する内形状を有し、この内形状によって、保持筒孔に形成された複数のチャック部がスライド部の内形状に沿って全チャック部の端縁から互いに寄り集まることにより、全チャック部が均等に芯線を押圧して電線の芯線を均等にしかも確実に保持することとなり、熟練者でなくとも電線の芯線を一定の品質で接続することができる。
【手続補正８】
【補正対象書類名】明細書
【補正対象項目名】００１８
【補正方法】変更
【補正の内容】
【００１８】
加えて、各チャック部は、その厚さが内側から端縁にかけて徐々に薄くなっている金属製であり、可撓性を有するために、スライド部材の保持筒孔の外壁に沿って端縁から内部方向へのスライドに応じて全チャック部の端縁が互いに中心部に存在する芯線を徐々に押圧するため、熟練者でなくとも電線の芯線を一定の品質でしっかりと接続することができる。
【手続補正９】
【補正対象書類名】明細書
【補正対象項目名】００２７
【補正方法】変更
【補正の内容】
【００２７】
即ち、本発明の好ましい例の電線接続装置は、電線の芯線端部を受け入れる保持筒孔を備えた接続導体と、前記接続導体の保持筒孔の外壁に沿って端縁から内部方向に装着され前記芯線端部を前記保持筒孔に誘導する挿通孔を備えたスライド部と、前記接続導体とスライド部との連結体を覆う絶縁カバー又は防水カバーとを備え、
前記スライド部は、外方向に向かうに従って縮径する内形状を有し、
前記保持筒孔には、端縁から内部方向に複数のスリットが形成され、前記スライド部の保持筒孔内部方向への装着に伴って前記スライド部の内形状に沿って互いに寄り集まる分岐した複数のチャック部を備え、
前記チャック部は、その厚さが内側から端縁にかけて徐々に薄くなっている金属製であり、可撓性を有し、
前記絶縁カバー又は防水カバーには、前記スライド部の挿通孔に芯線端部を誘導する誘導孔を備えたことを特徴とするものである。